(57)【要約】【課題】親指の動きを妨げずに、自由に動かすことのできるゴルフ手袋を提供する【解決手段】手袋本体３の親指袋開口６の縁に、親指を収容する親指袋４が縫着されてなるゴルフ手袋であって、親指袋開口６の手甲側開口縁６ａは、手袋本体３の人差し指側面中心ラインＬの延長線上、またはそれよりも手甲側の位置まで達するように形成する。この構成により、手袋着用時には、親指の第１中手骨の付け根から上方の全てが手袋本体３から突出するので、親指を手袋本体３により阻害されることなく自由に動かすことができる。【選択図】図１
2007239138.tif 000002
【特許請求の範囲】
【請求項１】
手袋本体の親指袋開口縁に、親指を収容する親指袋が縫着されてなるゴルフ手袋であって、前記親指袋開口の手甲側開口縁は、前記手袋本体の人差し指側面中心ラインの延長線上、またはそれよりも手甲側の位置まで達するように形成されたことを特徴とするゴルフ手袋。
【請求項２】
前記手袋本体は、少なくとも人差し指側で分離された裁断片から構成され、裁断片の手平側部に親指袋開口が形成され、該開口の手甲側の周縁が前記人差し指側面中心ラインの延長線よりも手甲側に突出されたことを特徴とする請求項１記載のゴルフ手袋。
【請求項３】
前記裁断片が、手平側の裁断片と手甲側の裁断片とから構成されたことを特徴とする請求項２記載のゴルフ手袋。
【請求項４】
前記手平側部の人差し指部分に、手甲側へ突出した延設部が延設され、前記手甲側部の人差し指部分は、前記延設部に対応して切り欠き形成されたことを特徴とする請求項１又は２記載のゴルフ手袋。
【発明の詳細な説明】
【技術分野】
【０００１】
本発明は、ゴルフ手袋に関する。
【背景技術】
【０００２】
一般に、ゴルフクラブを握るとき、親指以外の４本の指でグリップの下側から握って、親指をグリップの上側に添え、両手を親指側にひねるようにしながら力強く握るようにしている。このとき、滑り止めとして、あるいはボールを打ったときに手に伝わる衝撃を緩和するためにゴルフ手袋を着用することが多く、通常、右利きの人は左手に、左利きの人は右手にゴルフ手袋を着用している。
【０００３】
図５は従来のゴルフ手袋の手の甲側から見た正面図、図６は従来のゴルフ手袋の親指側から見た側面図、図７は従来のゴルフ手袋の展開図であって、（ａ）は手甲側部の裁断片、（ｂ）は手平側部の裁断片、（ｃ）は親指袋の裁断片である。従来のゴルフ手袋は、一般に、手甲側部１と手平側部２とからなる手袋本体３に楕円形の穴（親指袋開口）６を開け、この開口６の縁に親指を収容する親指袋４を縫合することにより構成される（特許文献１参照）。
【特許文献１】特開平８−２３２１０７号公報
【発明の開示】
【発明が解決しようとする課題】
【０００４】
しかしながら、特許文献１記載のゴルフ手袋では、手平側部２に形成された親指袋開口６が、人差し指側面中心ラインＬよりも大きく小指側の位置に形成されているため、手袋着用時に、手甲側において親指の第１中手骨の付け根付近が手袋本体３に覆われてしまう。この構成によると、親指の動きが手袋本体３によって妨げられてしまい、親指が窮屈なものとなってしまう。なお、「人差し指側面中心ライン」とは、人差し指の親指側の側面において、指の厚みの中間を通るラインである。「第１中手骨」とは、親指の中手骨のことであって、親指の付け根下から手首側に伸びる骨のことである。この第１中手骨の付け根（底）を基にして、親指を前後左右に大きく動かすことができるのである。
【０００５】
本発明は、親指の動きを妨げずに、自由に動かすことできるゴルフ手袋を提供することを目的とする。
【課題を解決するための手段】
【０００６】
上記目的を達成するため、本発明は、手袋本体の親指袋開口縁に、親指を収容する親指袋が縫着されてなるゴルフ手袋であって、親指袋開口の手甲側開口縁は、手袋本体の人差し指側面中心ラインの延長線上、またはそれよりも手甲側の位置まで達するように形成されたことを特徴とするゴルフ手袋である。
【０００７】
上記のように、親指袋開口を人差し指側面中心ラインの延長線上かそれよりも手甲側にまで開口させることにより、親指の第１中手骨の付け根から上方の全てを手袋本体から突出させることができる。したがって、親指の動きが手袋本体によって阻害されず、親指を違和感無く自由に動かすことができる。
【０００８】
手袋本体を構成する裁断片は、手平側の裁断片と手甲側の裁断片とに分離した形態としてもよいし、手平側の裁断片と手甲側の裁断片とが人差し指側または小指側で連続した形態としてもよい。手袋本体が少なくとも人差し指側で分離された裁断片から構成されている場合、裁断片の手平側部に親指袋開口を形成し、開口の手甲側の周縁を人差し指側面中心ラインの延長線よりも手甲側に突出するのが好ましい。手平側部が親指袋開口により分断されないので、手平側部の強度を保つことができる。
【０００９】
さらにまた、手平側部の人差し指部分に、手甲側へ突出した延設部を延設し、手甲側部の人差し指部分は、延設部に対応して切り欠き形成するのが好ましい。延設部が人差し指の親指側の側面を覆うので、グリップ時において、手平側部の人差し指部分の縫い目が人差し指の側面に当たらないですむ。したがって、グリップ時に人差し指が痛くなりにくい。
【発明の効果】
【００１０】
本発明によると、親指袋開口を人差し指側面中心ラインの延長線上かそれよりも手甲側にまで開口させたので、親指の第１中手骨の付け根から上方の全てを手袋本体から突出させることができる。したがって、親指の動きが手袋本体により阻害されず、親指を違和感無く自由に動かすことができる。
【発明を実施するための最良の形態】
【００１１】
以下、本発明の実施形態を図面に基づいて説明する。図１は本発明のゴルフ手袋の手の甲側から見た正面図、図２は同じくゴルフ手袋の手平側から見た正面図、図３は同じくゴルフ手袋の親指側から見た側面図、図４は同じくゴルフ手袋の展開図であって、（ａ）は手甲側部の裁断片、（ｂ）は手平側部の裁断片、（ｃ）は親指袋の裁断片である。なお、図４（ａ）〜（ｃ）の図中のアルファベットａ〜ｇは、それぞれ対応する縫着部分を示す。また、図４（ａ）の展開図では後述するマチ５を省略してある。なお、図面に示すゴルフ手袋は左手用であるが、これが右手用であっても実質的な差異はない。
【００１２】
このゴルフ手袋は、手甲側部１及び手平側部２からなる手袋本体３と、親指及びその付け根付近を覆う親指袋４とから構成される。詳細には、本ゴルフ手袋は、通常のゴルフ手袋と同様に、皮革や合成皮革など種々の生地が手甲側部１、手平側部２及び親指袋４に裁断され、これらの裁断片が手袋形状に縫合されて形成される。なお、手甲側部１及び手平側部２は、小指側で連続する１枚のシート状に裁断してもよい。また、図４（ｃ）では、親指袋４を２つの裁断片から構成しているが、ｇ側で連続する１枚のシート状に裁断してもよい。
【００１３】
手甲側部１及び手平側部２は、手甲部分１ａ及び手平部分２ａの指先側に、親指以外の指に相当するそれぞれ四つの指部分１ｂ〜１ｅ、２ｂ〜２ｅが突出した形状とされる。手甲側部１及び手平側部２は、人差し指側端部同士及び小指側端部同士がそれぞれ縫合される。
【００１４】
手甲側部１及び手平側部２の人差し指部分１ｂ、２ｂの中指側、中指部分１ｃ、２ｃ及び薬指部分１ｄ、２ｄの両側面、及び小指部分１ｅ、２ｅの薬指側は、指の厚さに相当するマチ５を介在させて縫合され、指を挿入できるように指袋が形成される。
【００１５】
なお、手平側部２の人差し指部分２ｂには、手甲側へ大きく湾曲しながら突出した延設部２ｆが延設される。これとは反対に、手甲側部１の人差し指部分１ｂは、延設部２ｆに対応するように内側へ切り欠き形成される。この構成により、延設部２ｆが人差し指の側面を覆うので、グリップ時において、手平側部２の人差し指部分２ｂの縫い目が人差し指のグリップ接触面に当たらないですむ。したがって、グリップ時に人差し指が痛くなりにくい。
【００１６】
手平部分２ａには、親指袋４を取り付けるための親指袋開口６が形成される。親指袋開口６は、手の平側から手の甲側へ拡がるように湾曲して開口する。すなわち、親指袋開口６の手甲側開口縁６ａは、手袋本体３の人差し指側面中心ラインＬの延長線上か、またはそれよりも手甲側の位置まで達するように形成される。このような構成とすることにより、親指の第１中手骨の付け根から上方の全てが手袋本体３から突出することができる。したがって、親指の動きが手袋本体３により阻害されず、親指を違和感無く自由に動かすことができる。
【００１７】
また、親指袋開口６の手平側開口縁６ｂは、母指球の外周縁を通るように設定される。このような構成とすれば、親指を自由に動かすことができる。なお、「母指球」とは、手の平側の親指の付け根の膨らんだ隆起部分のことである。
【００１８】
さらにまた、手平部分２ａは、親指袋開口６の手甲側の周縁が手甲側開口縁６ａに沿って、人差し指側面中心ラインの延長線よりも手甲側に突出することにより、突出部２ｇが形成される。その反対に、手甲部分１ａは、突出部２ｇに対応するように内側へ切り欠き形成される。この構成により、手平部分２ａが親指袋開口６により分断されないので、手平部分２ａに強度をもたせることができる。
【００１９】
また、手平部分２ａには、その人差指側から親指袋開口６へ突出するように垂れ片２ｈが延設される。この垂れ片２ｈは、親指と人差指との谷間に位置する。グリップ時に、親指袋４の縫合部分が親指に当たるのを防止できる。
【００２０】
また、手甲部分１ａの手首側には、着脱用の切れ目７と、着用後に切れ目７を閉じるための面ファスナーバンド８とが設けられている。
【００２１】
親指袋４は、図４（ｃ）に示すように、親指袋開口６の開口縁に沿うように形成される。なお、図中の破線は、従来の親指袋の形状を示すものであり、本親指袋４の手袋本体４への縫着ラインは、大きく手甲側へ湾曲するように設定されている。そして、親指袋４は、それ自体が袋状に縫合され、手平側部２の親指袋開口６の縁に、その開口縁が縫合される。このような構成により、親指袋４は、手の平側において指先から母指球にかけて覆うと共に、手の甲側において指先から第１中手骨の付け根にかけて覆う。なお、親指袋４を、親指の指先まで覆う形態としたが、指先をカットした形態としてもよい。
【００２２】
以上の構成によると、親指の第１中手骨の付け根から上方の全てが手袋本体から突出し、それを親指袋４で覆うので、第１中手骨の付け根を中心に動く親指の動きが手袋本体３により阻害されずにすむ。したがって、親指を違和感無く自由に動かすことができる。
【図面の簡単な説明】
【００２３】
【図１】本発明のゴルフ手袋の手の甲側から見た正面図
【図２】同じくゴルフ手袋の手平側から見た正面図
【図３】同じくゴルフ手袋の親指側から見た側面図
【図４】同じくゴルフ手袋の展開図であって、（ａ）は手甲側部の裁断片、（ｂ）は手平側部の裁断片、（ｃ）は親指袋の裁断片
【図５】従来のゴルフ手袋の手の甲側から見た正面図
【図６】従来のゴルフ手袋の親指側から見た側面図
【図７】従来のゴルフ手袋の展開図であって、（ａ）は手甲側部の裁断片、（ｂ）は手平側部の裁断片、（ｃ）は親指袋の裁断片
【符号の説明】
【００２４】
１    手甲側部
１ａ  手甲部分
２    手平側部
２ａ  手平部分
２ｆ  突出部
２ｇ  湾曲部
３    手袋本体
４    親指袋
６    親指袋開口
６ａ  手甲側開口縁
６ｂ  手平側開口縁
Ｌ    人差し指側面中心ライン
【図１】
2007239138.tif 000003
【図２】
2007239138.tif 000004
【図３】
2007239138.tif 000005
【図４】
2007239138.tif 000006
【図５】
2007239138.tif 000007
【図６】
2007239138.tif 000008
【図７】
2007239138.tif 000009